(57)【要約】フォーカスレンズを光軸方向に移動可能に保持した鏡胴本体１と、鏡胴本体１の外周部に回動範囲が規制されて設けられたフォーカスリング３と、フォーカスリング３の回動範囲内での回動位置を検出する回動位置検出部と、鏡胴本体１の外周部に設けられたタッチセンサ２と、前記回動位置検出部によって検出された回動位置に対応する絶対位置にフォーカスレンズを移動させる絶対位置制御及びタッチセンサ２の外周面上おける周回り方向の摺動量に対応する相対位置にフォーカスレンズを移動させる相対位置制御を行う制御手段を備えた。
2012132868.tif 000002
【特許請求の範囲】
【請求項１】
フォーカスレンズを光軸方向に移動可能に保持した鏡胴本体と、
前記鏡胴本体の外周部に回動範囲が規制されて設けられたフォーカスリングと、
前記フォーカスリングの前記回動範囲内での回動位置を検出する回動位置検出部と、
前記鏡胴本体の外周部に設けられたタッチセンサと、
前記回動位置検出部によって検出された回動位置に対応する絶対位置に前記フォーカスレンズを移動させる絶対位置制御、及び前記タッチセンサの外周面上における周回り方向の摺動量に対応する相対位置に前記フォーカスレンズを移動させる相対位置制御を行う制御手段と、
を備えたレンズ装置。
【請求項２】
光軸方向における前記フォーカスリングと前記タッチセンサとの間に環状の凸部を設けた請求項１に記載のレンズ装置。
【請求項３】
前記制御手段は、前記フォーカスレンズを自動的に被写体に合焦した位置に移動させるオートフォーカス制御機能を有し、前記タッチセンサでタッチが検出されたとき、前記フォーカスレンズのオートフォーカス動作を開始する請求項１または２に記載のレンズ装置。
【請求項４】
前記制御手段は、前記オートフォーカスの終了後、前記タッチセンサで摺動が検出されたとき、前記オートフォーカスで決定される絶対位置を基準にして前記タッチセンサでの摺動量に対応する相対位置に前記フォーカスレンズを移動させる請求項３に記載のレンズ装置。
【請求項５】
前記制御手段は、前記オートフォーカスの実行中に、前記フォーカスリングの回動が検出されたとき、前記オートフォーカスの動作を停止して、前記フォーカスリングの回動位置に対応する絶対位置に前記フォーカスレンズを移動させる請求項３または４に記載のレンズ装置。
【請求項６】
前記制御手段は、前記タッチセンサから指が離れて一定時間が経過するまで、前記タッチセンサで再びタッチを検出してもオートフォーカスの実行を保留する請求項４に記載のレンズ装置。
【請求項７】
前記制御手段は、前記フォーカスリングの回動に応じて前記フォーカスレンズの位置の粗調整を行い、前記タッチセンサでの摺動量に応じて前記フォーカスレンズの位置の微調整を行う請求項１から６のうちいずれか１項に記載のレンズ装置。
【請求項８】
前記制御手段は、前記フォーカスリングの回動と前記タッチセンサでの摺動とが同時に行なわれたとき、前記タッチセンサでの摺動よりも前記フォーカスリングの回動を優先し、前記フォーカスリングによって指示された絶対位置に前記フォーカスレンズを移動させる請求項１から７のうちいずれか１項に記載のレンズ装置。
【請求項９】
前記制御手段は、前記フォーカスリングの回動と前記タッチセンサでの摺動とが同時に行なわれたとき、前記フォーカスリングの回動よりも前記タッチセンサでの摺動を優先し、前記タッチセンサによって指示された相対位置に前記フォーカスレンズを移動させる請求項１から７のうちいずれか１項に記載のレンズ装置。
【請求項１０】
前記制御手段は、前記タッチセンサから指が離れて一定時間が経過するまで、前記フォーカスリングの回動が検出されても前記フォーカスリングの絶対位置への移動を保留する請求項１から９のうちいずれか１項に記載のレンズ装置。
【請求項１１】
前記制御手段は、前記タッチセンサの複数箇所で同時にタッチ及び摺動を検出したとき、その摺動量に応じた相対位置に前記フォーカスレンズを移動させる請求項１から１０のうちいずれか１項に記載のレンズ装置。
【請求項１２】
前記タッチセンサは、前記鏡筒本体の外周部に環状かつエンドレスに設けられている請求項１から１１のうちいずれか１項に記載のレンズ装置。
【請求項１３】
フォーカスレンズを光軸方向に移動可能に保持した鏡胴本体と、前記鏡胴本体の外周部に回動範囲が規制されて設けられたフォーカスリングと、前記フォーカスリングの前記回動範囲内での回動位置を検出する回動位置検出部と、前記鏡胴本体の外周部に設けられたタッチセンサとを用い、
前記回動位置検出部によって検出された回動位置に対応する絶対位置に前記フォーカスレンズを移動させる絶対位置制御、及び前記タッチセンサの外周面上における周回り方向の摺動量に対応した相対位置に前記フォーカスレンズを移動させる相対位置制御を行うフォーカス制御方法。
【請求項１４】
前記タッチセンサでタッチが検出されたとき、前記フォーカスレンズのオートフォーカス動作を開始する請求項１３に記載のフォーカス制御方法。
【請求項１５】
前記フォーカスリングの回動に応じて前記フォーカスレンズの位置の粗調整を行い、前記タッチセンサでの摺動量に応じて前記フォーカスレンズの位置の微調整を行う請求項１３または１４に記載のフォーカス制御方法。
【請求項１６】
前記フォーカスリングの回動と前記タッチセンサでの摺動とが同時に行なわれたとき、前記タッチセンサでの摺動よりも前記フォーカスリングの回動を優先し、前記フォーカスリングによって指示された絶対位置に前記フォーカスレンズを移動させる請求項１３から１５のうちいずれか１項に記載のフォーカス制御方法。
【請求項１７】
前記制御手段は、前記フォーカスリングの回動と前記タッチセンサでの摺動とが同時に行なわれたとき、前記フォーカスリングの回動よりも前記タッチセンサでの摺動を優先し、前記タッチセンサによって指示された相対位置に前記フォーカスレンズを移動させる請求項１４から１６のうちいずれか１項に記載のフォーカス制御方法。
【発明の詳細な説明】
【技術分野】
【０００１】
本発明は、スライド操作用の部品を省略することができるとともにフォーカス調整の絶対位置指示操作及び相対位置指示操作の操作性を向上させることができるレンズ装置及びフォーカス制御方法に関する。
【背景技術】
【０００２】
従来、図８に示すように、レンズ鏡筒９１の外周部に、光軸Ｏ方向にて前後（図の矢印方向）にスライド操作可能なフォーカスリング９３を設けたレンズ装置が知られている。【０００３】
また、特許文献１には、レンズ鏡筒１の外周部に相対位置指示方式のフォーカスリングと絶対位置指示方式のフォーカスリングとを配置し、相対位置指示方式のフォーカスリングを光軸方向に沿ってスライド操作することで、二つのフォーカスリングのうちいずれを有効にするかをメカニカルに切り替えるようにしたレンズ装置が開示されている。【０００４】
レンズ鏡筒の外周部にタッチセンサを設け、タッチセンサにより指示操作を可能にしたレンズ装置も知られている（特許文献２〜４を参照）。【０００５】
ピント合わせの粗調整をする際にはキーを操作し、微調整をする際にはホイールを操作する構成も知られている（特許文献５を参照）。
【先行技術文献】
【特許文献】
【０００６】
【特許文献１】特開２００７−１７８６３３号公報
【特許文献２】特開２００９−１６９２６６号公報
【特許文献３】特開２０１０−１１７４４４号公報
【特許文献４】特開平１０−１１１４４８号公報
【特許文献５】特開２００９−３１６５４号公報
【発明の概要】
【発明が解決しようとする課題】
【０００７】
図８に示したようにフォーカスリングのメカニカルなスライド操作により絶対位置指示と相対位置指示とを切り替える構造では、その切替時の力量や感触を出すことが容易でない、スライド操作用の部品点数が鏡筒の外周上で増加する、切替の検出が難しい、といった課題があった。【０００８】
特許文献２〜４には、タッチセンサによりフォーカスの指示操作を可能にした構成が開示されているが、絶対位置指示と相対位置指示とを切り替えるに点について、何も記載されていない。特許文献５には、タッチ操作に関する開示がない。【０００９】
レンズ鏡筒の外周部に絶対位置指示用のタッチセンサ及び相対位置指示用のタッチセンサを設けることも考えられるが、仮にそのような構成にした場合、回動範囲を規制する規制端（回転端）を基準にしてフォーカスリングを回す操作感覚を身につけた操作者にとって、タッチセンサでは規制端を基準に操作することができないため、操作者に受け入れられないという新たな問題が生じる。【００１０】
また、特許文献２には、焦点を粗調整する際には触れた指を速く移動させ、焦点を微調整する際には触れた指をゆっくり移動させればよいとの記載があるが、一般に指の移動の緩急は操作者の感覚とレンズ装置側の検出とで差があるため、実際には指移動の緩急だけで粗調整及び微調整を操作し分けることが難しいという別の課題もある。【００１１】
特にファインダを覗きながら手探りで操作するテレビカメラの操作者にとって、触感は重要であり、更なる操作性の向上も要求されている。【００１２】
本発明はこのような事情に鑑みてなされたもので、スライド操作用の部品を省略することができるとともに、フォーカス調整の絶対位置指示操作及び相対位置指示操作の操作性を向上させることができるレンズ装置及びフォーカス制御方法を提供することを目的とする。
【課題を解決するための手段】
【００１３】
前記目的を達成するために、本発明は、フォーカスレンズを光軸方向に移動可能に保持した鏡胴本体と、前記鏡胴本体の外周部に回動範囲が規制されて設けられたフォーカスリングと、前記フォーカスリングの前記回動範囲内での回動位置を検出する回動位置検出部と、前記鏡胴本体の外周部に設けられたタッチセンサと、前記回動位置検出部によって検出された回動位置に対応する絶対位置に前記フォーカスレンズを移動させる絶対位置制御、及び前記タッチセンサの外周面上における周回り方向の摺動量に対応する相対位置に前記フォーカスレンズを移動させる相対位置制御を行なう制御手段と、を備えたレンズ装置置を提供する。【００１４】
即ち、従来のようなフォーカスリングのスライド操作を省略することができ、フォーカスリングの回動操作により絶対位置指示を行い、タッチセンサでの摺動操作により相対位置指示を行なうことができる。したがって、スライド操作用の部品を省略することができるとともに、スライド操作の省略によりフォーカス調整の絶対位置指示操作及び相対位置指示操作の操作性を向上させることができる。【００１５】
一実施形態では、光軸方向における前記フォーカスリングと前記タッチセンサとの間に環状の凸部を設けた。これにより、フォーカスリング及びタッチセンサの両方を同時に操作する誤操作が防止される。【００１６】
一実施形態では、前記制御手段は、前記フォーカスレンズを自動的に被写体に合焦した位置に移動させるオートフォーカス制御機能を有し、前記タッチセンサでタッチが検出されたとき、前記フォーカスレンズのオートフォーカス動作を開始する。また、前記制御手段は、前記オートフォーカスの終了後、前記タッチセンサで摺動が検出されたとき、前記オートフォーカスで決定される絶対位置を基準にして前記タッチセンサでの摺動量に対応する相対位置に前記フォーカスレンズを移動させる。これにより、オートフォーカスを実行させるためのスイッチを省略することができるだけでなく、オートフォーカス及び微調整をタッチセンサに対する操作（タッチ及び摺動）のみで容易に行なうことができる。【００１７】
一実施形態では、前記制御手段は、前記フォーカスリングの回動に応じて前記フォーカスレンズの位置の粗調整を行い、前記タッチセンサでの摺動量に応じて前記フォーカスレンズの位置の微調整を行なう。【００１８】
また、本発明は、フォーカスレンズを光軸方向に移動可能に保持した鏡胴本体と、前記鏡胴本体の外周部に回動範囲が規制されて設けられたフォーカスリングと、前記フォーカスリングの前記回動範囲内での回動位置を検出する回動位置検出部と、前記鏡胴本体の外周部に設けられたタッチセンサとを用い、前記回動位置検出部によって検出された回動位置に対応する絶対位置に前記フォーカスレンズを移動させる絶対位置制御、及び前記タッチセンサの外周面上における周回り方向の摺動量に対応した相対位置に前記フォーカスレンズを移動させる相対位置制御を行なうフォーカス制御方法を提供する。
【発明の効果】
【００１９】
本発明によれば、スライド操作用の部品を省略することができるとともに、フォーカス調整の絶対位置指示操作及び相対位置指示操作の操作性を向上させることができる。
【図面の簡単な説明】
【００２０】
【図１】本発明に係るレンズ装置の一例を示す側面図
【図２】図１に示したレンズ装置を装着した撮影装置の一例を示すブロック図
【図３】レンズ制御処理の第１実施例の流れを示すフローチャート
【図４】レンズ制御処理の第２実施例の流れを示すフローチャート
【図５】レンズ制御処理の第３実施例の流れを示すフローチャート
【図６】レンズ制御処理の第４実施例の流れを示すフローチャート
【図７】フォーカスリングとタッチセンサとの間に環状の凸部を設けたレンズ装置の一例を示す側面図
【図８】従来のスライド式フォーカスリングを備えたレンズ装置の一例を示す側面図
【発明を実施するための形態】
【００２１】
以下、添付図面に従って、本発明の実施形態について、詳細に説明する。
【００２２】
図１は、本発明に係るレンズ装置の一例を示す側面図である。図１のレンズ装置１００では、固定環１（以下「鏡胴本体」ともいう）の外周部に、被写体側（前側）から順に、タッチセンサ２、フォーカスリング３、ズームリング４及びアイリスリング６が配置されている。本例では、タッチセンサ２とフォーカスリング３が光軸Ｏ方向に互いに隣接して配置されている。
【００２３】
本例のタッチセンサ２は、環状であって、固定環１の外周部にエンドレスにして設けられており、光軸Ｏを中心とした固定環１の外周方向における指の任意の摺動を検知することが可能である。
【００２４】
フォーカスリング３は、環状であって、固定環１の外周部に規制端（以下「回動端」ともいう）で回動範囲が規制されて設けられ、その規制された回動範囲内で、光軸Ｏを中心とした固定環１の外周方向における回動が可能である。
【００２５】
ズームリング４及びアイリスリング６は、環状であって、光軸Ｏを中心とした固定環１の外周方向にて回動自在である。
【００２６】
図２は、図１に示したレンズ装置１００及びレンズ装置１００を撮影部２００に装着して構成された撮影装置の一例を示すブロック図である。なお、図２にて図１に記載した構成要素には同じ符号を付してあり、既に説明した内容はその説明を省略する。
【００２７】
図２において、本例のレンズ装置１００では、被写体側（前側）から順に、ズーム（変倍）レンズ３２、アイリス４０（絞り）、マスターレンズ３４、フォーカスレンズ３６が配置されている。これらの光学部材は図１の固定環１内に保持されている。本例のレンズ装置１００は、リアフォーカス式であるが、本発明にて光学部材の光軸Ｏ上での順序は特に限定されない。
【００２８】
また、レンズ装置１００は、タッチセンサ２を駆動するドライバ１０２と、フォーカスリング３の規制された回動範囲内での回動位置を検出する回動位置検出部１０３と、ズームレンズ３２、フォーカスレンズ３６、アイリス４０をそれぞれ駆動するドライバ１１２Ｚ、１１２Ｆ、１１２Ｓと、Ａ／Ｄ変換器１１３と、オートフォーカスのための処理を実行するＡＦユニット１１５と、撮影部２００とシステム内の通信を行なうためのＳＣＩインタフェース１１６と、他の外部装置と通信するための外部インタフェース１１７と、レンズ装置１００の各部を統括して制御するＣＰＵ１１８と、記憶部１１９とを含んで構成されている。
【００２９】
ズームレンズ３２及びフォーカスレンズ３６は、ドライバ１１２Ｚ、１１２Ｆを介したＣＰＵ１１８の指令により、光軸Ｏ方向に自在に移動する。また、アイリス４０は、ドライバ１１２Ｓを介したＣＰＵ１１８の指令により、光軸Ｏに沿った光路上の開口断面積を自在に変更する。タッチセンサ２用のドライバ１０２、及びフォーカスリング３用の回動位置検出部１０３は、公知のセンサを用いればよく、詳細な説明を省略する。
【００３０】
レンズ装置１００のＣＰＵ１１８は、オートフォーカス時には、ＡＦユニット１１５と連携し、フォーカスレンズ３６を光軸Ｏ方向に移動させながらＡＦユニット１１５によってコントラストＡＦ方式のＡＦサーチを行い、そのＡＦ結果に基づいてフォーカスレンズ３６を被写体に合焦するレンズ位置（以下「ＡＦ絶対位置」という）に移動させる。また、レンズ装置１００のＣＰＵ１１８は、フォーカスリング３が回動されたときには、回動位置検出部１０３によって検出されたフォーカスリング３の回動位置に対応する絶対位置（以下「ＭＦ絶対位置」という）にフォーカスレンズ３６を移動させる絶対位置制御を行なう。また、レンズ装置１００のＣＰＵ１１８は、タッチセンサ２で指のタッチ及び摺動が検出されたときには、タッチセンサ２の外周面上における周回り方向の摺動量に対応する相対位置にフォーカスレンズ３６を移動させる相対位置制御を行なう。ここで「相対位置」とは、オートフォーカスによって決定されるフォーカスレンズ３６のレンズ位置（ＡＦ絶対位置）、及びフォーカスリング３によって指示されるフォーカスレンズ３６のレンズ位置（ＭＦ絶対位置）のうち、いずれかの絶対位置を基準にした位置（差分）であって、タッチセンサ２によって指示されるフォーカスレンズ３６のレンズ位置（以下「ＭＦ相対位置」という）である。
【００３１】
また、レンズ装置１００のＣＰＵ１１８は、フォーカスリング３の回動に応じてフォーカスレンズ３６の位置の粗調整を行い、タッチセンサ２での摺動量に応じてフォーカスレンズ３６の位置の微調整を行なう。つまり、フォーカスリング３の外周上の移動量（又は回動角度）に対するフォーカスレンズ３６の光軸Ｏ方向における移動量よりも、タッチセンサ２の外周上の摺動量（又は摺動角度）に対するフォーカスレンズ３６の光軸Ｏ方向における移動量の方を小さくしている。したがって、オートフォーカスにより決定した合焦位置（ＡＦ絶対位置）から、タッチセンサ２によりフォーカスレンズ３６のレンズ位置（ＭＦ相対位置）を容易に微調整することが可能である。
【００３２】
撮影部２００は、図２に示すように、レンズ装置１００により結像された被写体像を撮像する撮像素子２２１と、撮像素子２２１から出力された映像信号に対して画像処理を行なう映像信号処理回路２２２と、レンズ装置１とシステム内の通信を行なうためのＳＣＩインタフェース２２３と、撮像素子２２１により得られた撮像画像を表示する電子ビューファインダ２２４と、撮像素子２２１により得られた撮像画像を記録媒体２２５に記録する記録媒体インタフェース２２６と、操作者から操作を受け付ける操作部２２７と、撮影部２００の各部を統括して制御するＣＰＵ２２９を含んで構成されている。
【００３３】
次に、レンズ装置１００におけるフォーカスレンズ制御について、説明する。
【００３４】
図３は、レンズ制御処理の第１実施例の流れを示すフローチャートである。本処理は、レンズ装置１００のＣＰＵ１１８によって、プログラムに従い実行される。
【００３５】
第１実施例では、まず、フォーカスリング３が回動したか否かを判定する（ステップＳ２）。本例では、回動位置検出部１０３の出力信号に基づいて、ＣＰＵ１１８が回動の有無を判定する。
【００３６】
フォーカスリング３が回動したときには、フォーカスリング３の回動位置に対応するフォーカスレンズ３６の絶対位置を取得し（ステップＳ４）、その絶対位置にフォーカスレンズ３６を移動させる（ステップＳ６）。本例では、フォーカスリング３の回動位置とフォーカスレンズ３６の絶対位置との関係が記憶部１１９に記憶されており、記憶部１１９から回動位置に対応する絶対位置を取得する。回動位置から絶対位置を算出してもよい。
【００３７】
フォーカスリング３が回動していないときには、タッチセンサ２によりタッチを検出したか否かを判定する（ステップＳ１２）。
【００３８】
タッチセンサ２によりタッチを検出したときには、さらにタッチセンサ２により摺動を検出したか否かを判定する（ステップＳ１４）。摺動が検出されたときには、摺動量を算出し（ステップＳ１６）、その摺動量に対応するフォーカスレンズ３６の相対位置にフォーカスレンズ３６を移動させる（ステップＳ１８）。例えば、フォーカスリング３の回動後であればその回動位置に対応したＭＦ絶対位置を基準として、タッチセンサ２での摺動量に対応した移動量だけフォーカスレンズ３６が移動する。本例では、タッチセンサ２での摺動量とフォーカスレンズ３６の相対位置との関係が記憶部１１９に記憶されており、記憶部１１９から摺動量に対応する相対位置を取得する。摺動量から相対位置を算出してもよい。
【００３９】
この第１実施例では、フォーカスリング３の回動とタッチセンサ２での摺動とが同時に行なわれたとき、タッチセンサ２での摺動よりもフォーカスリング３の回動が優先されて、フォーカスリング３によって指示されたＭＦ絶対位置にフォーカスレンズ３６が移動する。したがって、フォーカスリング３の回動操作で指示しようとした操作者が、フォーカスリング３の回動と同時に誤ってタッチセンサ２上で指を摺動した場合でも、操作者の意図通りにフォーカスリング３の回動操作で指示された絶対位置にフォーカスレンズ３６が移動することになる。その一方で、タッチセンサ２の摺動操作で相対位置を指示しようとした操作者が、タッチセンサ２と共にフォーカスリング３にも指を触れたとき、そのような操作者は、一般に、明らかにタッチセンサ２とは異なるフォーカスリング３の触感により、フォーカスリング３に触れたことを認識してフォーカスリング３から指を離す。つまり、フォーカスリングの操作に慣れた操作者がタッチセンサ２での摺動を行なおうとしてフォーカスリング３の回動を同時に行なうことはほとんどない。
【００４０】
図４は、レンズ制御処理の第２実施例の流れを示すフローチャートである。本処理は、レンズ装置１００のＣＰＵ１１８によって、プログラムに従い実行される。
【００４１】
第２実施例では、まず、タッチセンサ２にタッチしているか否かを判定する（ステップＳ２２）。
【００４２】
タッチセンサ２にタッチしていると判定したときには、さらにタッチセンサ２により摺動を検出したか否か（ステップＳ２４）、及びタッチセンサ２から指が離れたか否かを判定する（ステップＳ２６）。
【００４３】
第２実施例では、タッチセンサ２から指が離れたとき（ステップＳ２６でＹｅｓ）、タイマによる計時を開始する（ステップＳ２８）。その後、摺動量を算出し（ステップＳ３０）、その摺動量に対応する相対位置にフォーカスレンズ３６を移動させる（ステップＳ３２）。
【００４４】
タッチセンサ２にタッチしていないと判定したときには、指が離れたことを検出してから一定時間が経過したか否かを判定し（ステップＳ３４）、一定時間が未だ経過していない場合（ステップＳ３４でＹｅｓの場合）、ステップＳ２２に戻る。
【００４５】
第２実施例では、指がタッチセンサ２から離れて一定時間が経過した場合のみ、フォーカスリング３が回動したか否かを判定し（ステップＳ３６）、フォーカスリング３が回動したときには、その回動位置に対応する絶対位置を取得し（ステップＳ３８）、その絶対位置にフォーカスレンズ３６を移動させる（ステップＳ４０）。
【００４６】
この第２実施例では、フォーカスリング３の回動とタッチセンサ２での摺動とが同時に行なわれたとき、フォーカスリング３の回動よりもタッチセンサ２での摺動が優先されて、タッチセンサ２によって指示された相対位置にフォーカスレンズ３６が移動する。したがって、タッチセンサ２での摺動操作で相対位置を指示しようとした操作者が、タッチセンサ２での摺動と同時に誤ってフォーカスリング３を回動した場合でも、操作者の意図通りにタッチセンサ２の摺動操作で指示された相対位置にフォーカスレンズ３６が移動することになる。また、タッチ操作では、指でタッチして摺動→指を離す→再び指でタッチして摺動→指を離す…といった操作を繰り返す場合があるが、そのような場合でもタッチ操作を優先して、指の離間中における意図しないフォーカスリング３の回動に反応しないので、タッチ操作をメインにした操作者にとって好ましい。ところで、図３に示した第１実施例の制御を行なうか図４に示した第２実施例の制御を行なうかは、撮影部２００の操作部２２７で切替操作を行って、撮影部２００から通信によりレンズ装置１００の記憶部１１９に設定するようにしてもよい。レンズ装置１００のＣＰＵ１１８は、記憶部１１９の設定情報に基づいて制御を切り替える。
【００４７】
図５は、レンズ制御処理の第３実施例の流れを示すフローチャートである。本処理は、レンズ装置１００のＣＰＵ１１８によって、プログラムに従い実行される。
【００４８】
第３実施例では、タッチセンサ２でタッチ検出且つ非摺動と判定した場合（ステップＳ５２でＹｅｓの場合）、フォーカスレンズ３６を自動的に被写体に合焦した位置に移動させるオートフォーカス処理を開始する（ステップＳ５４）。本例のオートフォーカス処理では、フォーカスレンズ３６を光軸Ｏ方向に移動させながらコントラストＡＦ方式のＡＦサーチ（合焦位置検出）を行なって、そのＡＦサーチ結果に対応するレンズ位置（ＡＦ絶対位置）にフォーカスレンズ３６を移動させる。ＣＰＵ１１８は、フォーカスレンズ３６のドライバ１１２ＦとＡＦユニット１１５とを用いてオートフォーカスを実行する。
【００４９】
タッチ検出且つ非摺動ではない場合（タッチが検出されない場合または摺動が検出された場合）には、ステップＳ６２〜Ｓ７８の処理を行なう。これらのステップＳ６２〜Ｓ７８の処理は、図３に示した第１実施例におけるステップＳ２〜Ｓ１８と同様であり、ここではその説明を省略する。
【００５０】
ステップＳ５４でオートフォーカス処理を開始してからステップＳ５８でオートフォーカス終了と判定されるまで、フォーカスリング３が回動したか否かを判定する（ステップＳ５６）。オートフォーカス処理の実行中に、フォーカスリング３が回動した場合には、オートフォーカスの動作を停止し（ステップＳ６０）、フォーカスリング３の回動位置に対応する絶対位置を取得し（ステップＳ６４）、その回動位置に対応する絶対位置（ＭＦ絶対位置）にフォーカスレンズ３６を移動させる（ステップＳ６６）。
【００５１】
この第３実施例では、タッチセンサ２によりオートフォーカスの開始を指示入力することができるので、スイッチ部品をレンズ鏡筒１の外周から削減することが可能である。また、オートフォーカスの終了後、タッチセンサ２で摺動が検出されたとき（ステップＳ７４でＹｅｓ）、オートフォーカスで決定される絶対位置（ＡＦ絶対位置）を基準にしてタッチセンサ２での摺動量に対応する相対位置にフォーカスレンズが移動させられる（ステップＳ７６、Ｓ７８）。即ち、タッチによるＡＦとＡＦ後の摺動による相対位置指示との組み合わせにより、操作者は容易且つ意図通りにフォーカス調整を行なうことができる。さらに、オートフォーカスが開始しても、フォーカスリング３を回動することで、オートフォーカスの動作を停止させるとともに、フォーカスリング３で指示した絶対位置（ＭＦ絶対位置）にフォーカスレンズ３６を移動させることができる。
【００５２】
なお、図５を用いて、オートフォーカスを開始しないときに、図３に示した第１実施例と同様にフォーカスリング３の回動を優先する場合を例に説明したが、本発明は特にこのような態様に限定されるものではない。
【００５３】
図６は、レンズ制御処理の第４実施例の流れを示すフローチャートである。本処理は、レンズ装置１００のＣＰＵ１１８によって、プログラムに従い実行される。
【００５４】
図６にて、ステップＳ１２２〜Ｓ１４０は、図４に示した第２実施例におけるステップＳ２２〜Ｓ４０と同様の処理であり、以下では説明を省略する。また、図６にて、ステップＳ５２、Ｓ５４及びＳ５８は、図５に示した第３実施例における同符号のステップと同様の処理である。
【００５５】
第４実施例では、タッチセンサ２でタッチ検出且つ非摺動と判定した場合（ステップＳ５２でＹｅｓの場合）、相対位置指示のための摺動後に指が離れてから一定時間が経過したか否かを判定し（ステップＳ５３）、一定時間が未だ経過していない場合（ステップＳ５３でＹｅｓの場合）、ステップＳ５２に戻る。即ち、相対位置指示のための摺動後に指がタッチセンサ２から離れたことを検出したから一定時間が経過した場合のみ、オートフォーカスを実行する（ステップＳ５４）。
【００５６】
図７は、光軸Ｏ方向におけるフォーカスリング３とタッチセンサ２との間に環状の凸部５を設けた場合のレンズ装置１００の一例を示す側面図である。図７にて、図１に示した構成要素には同じ符号を付してあり、以下では図１の場合と異なる点のみ説明する。
【００５７】
凸部５の光軸Ｏ方向における幅ｄ及び高さｈは特に限定されないが、指がタッチセンサ２とフォーカスリング３との両方に触れないように設定される。両方に触れない観点からは幅ｄ及び高さｈは大きい方が好ましいが、両方を交互に操作する観点からは幅ｄ及び高さｈが大きく過ぎると操作性を阻害する。例えば、幅ｄは指の幅程度、高さｈは２〜３ｍｍ程度である。
【００５８】
また、誤操作の防止のため、レンズ装置１００のＣＰＵ１１８は、タッチセンサ２の一箇所でタッチ及び摺動を検出しても反応せず、タッチセンサ２の複数箇所で同時にタッチ及び摺動を検出してはじめて、その摺動量に応じた相対位置にフォーカスレンズを移動させるようにしてもよい。
【００５９】
以上、フォーカスリング３については、回動のみ検出しタッチは検出しない場合を例に説明したが、このような場合に特に限定されない。フォーカスリング３に指がタッチしたことを検出する検出手段を設けて、フォーカスリング３及びタッチセンサ２の両方にタッチした場合には、（１）両方の操作を無視、（２）フォーカスリング３の回動を優先、（３）タッチセンサ２の操作を優先、のうちいずれかを行なうようにしてもよい。
【００６０】
また、フォーカスリング３が回動範囲を規制する規制端で止まっているか否かを検出する手段を設け、フォーカスリング３が規制端で止まっている状態で、タッチセンサ２にタッチされたことを検出したときには、摺動量に対するフォーカスレンズ３６の移動量の比を小さくするようにしてもよい。即ち、フォーカスリング３の回動端では、タッチセンサ２での摺動により微調整し易くしてもよい。
【００６１】
また、タッチセンサ２の複数箇所で同時にタッチ及び摺動があったか否かを検出する場合を例に説明したが、タッチセンサ２はマルチタッチ（複数箇所のタッチ）を検出可能なものに特に限定されない。本発明は、マルチタッチでないタッチセンサ２にも適用できる。
【００６２】
また、タッチセンサ２を固定環１の全周に渡って環状かつエンドレスに設けた場合を例に説明したが、本発明は、タッチセンサ２を固定環１の全周のうち一部の弧上に設けた場合にも適用可能である。
【００６３】
また、タッチセンサ２へのタッチ操作でフォーカス操作のみを行なう場合を例に説明したが、他の機能のオン／オフもタッチセンサ２に割り当ててよい。例えば、マクロモードの設定時には、ＡＦ開始とは異なるタッチ操作を受け付ける。例えば、異なるタッチ回数、異なる軌跡（例えば円形）の摺動、異なる摺動方向などにより機能を切り分けることができる。ズーミングやアイリス操作もタッチセンサ２で行い、ズームリング４やアイリスリング６を省略することも可能である。
【００６４】
本発明は、本明細書において説明した例や図面に図示された例には限定されず、本発明の要旨を逸脱しない範囲において、各種の設計変更や改良を行なってよいのはもちろんである。
【００６５】
本明細書には、以下の発明が開示されている。
【００６６】
発明１：フォーカスレンズを光軸方向に移動可能に保持した鏡胴本体と、前記鏡胴本体の外周部に回動範囲が規制されて設けられたフォーカスリングと、前記フォーカスリングの前記回動範囲内での回動位置を検出する回動位置検出部と、前記鏡胴本体の外周部に設けられたタッチセンサと、前記回動位置検出部によって検出された回動位置に対応する絶対位置に前記フォーカスレンズを移動させる絶対位置制御、及び前記タッチセンサの外周面上における周回り方向の摺動量に対応する相対位置に前記フォーカスレンズを移動させる相対位置制御を行なう制御手段と、を備えたレンズ装置。
【００６７】
発明２：光軸方向における前記フォーカスリングと前記タッチセンサとの間に環状の凸部を設けた発明１に記載のレンズ装置。
【００６８】
発明３：前記制御手段は、前記フォーカスレンズを自動的に被写体に合焦した位置に移動させるオートフォーカス制御機能を有し、前記タッチセンサでタッチが検出されたとき、前記フォーカスレンズのオートフォーカス動作を開始する発明１または２に記載のレンズ装置。
【００６９】
発明４：前記制御手段は、前記オートフォーカスの終了後、前記タッチセンサで摺動が検出されたとき、前記オートフォーカスで決定される絶対位置を基準にして前記タッチセンサでの摺動量に対応する相対位置に前記フォーカスレンズを移動させる発明３に記載のレンズ装置。
【００７０】
発明５：前記制御手段は、前記オートフォーカスの実行中に、前記フォーカスリングの回動が検出されたとき、前記オートフォーカスの動作を停止して、前記フォーカスリングの回動位置に対応する絶対位置に前記フォーカスレンズを移動させる発明３または４に記載のレンズ装置。
【００７１】
発明６：前記制御手段は、前記タッチセンサから指が離れて一定時間が経過するまで、前記タッチセンサで再びタッチを検出してもオートフォーカスの実行を保留する発明４または５に記載のレンズ装置。
【００７２】
発明７：前記制御手段は、前記フォーカスリングの回動に応じて前記フォーカスレンズの位置の粗調整を行い、前記タッチセンサでの摺動量に応じて前記フォーカスレンズの位置の微調整を行なう発明１から６のうちいずれかひとつに記載のレンズ装置。
【００７３】
発明８：前記制御手段は、前記フォーカスリングの回動と前記タッチセンサでの摺動とが同時に行なわれたとき、前記タッチセンサでの摺動よりも前記フォーカスリングの回動を優先し、前記フォーカスリングによって指示された絶対位置に前記フォーカスレンズを移動させる発明１から７のうちいずれかひとつに記載のレンズ装置。
【００７４】
発明９：前記制御手段は、前記フォーカスリングの回動と前記タッチセンサでの摺動とが同時に行なわれたとき、前記フォーカスリングの回動よりも前記タッチセンサでの摺動を優先し、前記タッチセンサによって指示された相対位置に前記フォーカスレンズを移動させる発明１から７のうちいずれかひとつに記載のレンズ装置。
【００７５】
発明１０：前記制御手段は、前記タッチセンサから指が離れて一定時間が経過するまで、前記フォーカスリングの回動が検出されても前記フォーカスリングの絶対位置への移動を保留する請求項１から９のうちいずれか１項に記載のレンズ装置。
【００７６】
発明１１：前記制御手段は、前記タッチセンサの複数箇所で同時にタッチ及び摺動を検出したとき、その摺動量に応じた相対位置に前記フォーカスレンズを移動させる発明１から１０のうちいずれかひとつに記載のレンズ装置。
【００７７】
発明１２：前記タッチセンサは、環状であって、前記鏡筒本体の外周部にエンドレスにして設けられている発明１から１１のうちいずれかひとつに記載のレンズ装置。
【００７８】
発明１３：フォーカスレンズを光軸方向に移動可能に保持した鏡胴本体と、前記鏡胴本体の外周部に回動範囲が規制されて設けられたフォーカスリングと、前記フォーカスリングの前記回動範囲内での回動位置を検出する回動位置検出部と、前記鏡胴本体の外周部に設けられたタッチセンサとを用い、前記回動位置検出部によって検出された回動位置に対応する絶対位置に前記フォーカスレンズを移動させる絶対位置制御、及び前記タッチセンサの外周面上における周回り方向の摺動量に対応した相対位置に前記フォーカスレンズを移動させる相対位置制御を行なうフォーカス制御方法。即ち、発明１に対応したフォーカス制御方法。
【００７９】
発明１４〜発明２４：発明２〜発明１２にそれぞれ対応したフォーカス制御方法。
【符号の説明】
【００８０】
１:固定環（レンズ鏡筒）、２：タッチセンサ、３：フォーカスリング、４：ズームリング、６：アイリスリング、３２：ズームレンズ、３６：フォーカスレンズ、４０：アイリス、１００：レンズ装置、１１５：ＡＦユニット、１１８：レンズ装置のＣＰＵ、２００：撮影部
【図１】
2012132868.tif 000003
【図２】
2012132868.tif 000004
【図３】
2012132868.tif 000005
【図４】
2012132868.tif 000006
【図５】
2012132868.tif 000007
【図６】
2012132868.tif 000008
【図７】
2012132868.tif 000009
【図８】
2012132868.tif 000010
【手続補正書】
【提出日】平成24年8月17日(2012.8.17)
【手続補正１】
【補正対象書類名】特許請求の範囲
【補正対象項目名】全文
【補正方法】変更
【補正の内容】
【特許請求の範囲】
【請求項１】
フォーカスレンズを光軸方向に移動可能に保持した鏡胴本体と、
前記鏡胴本体の外周部に回動範囲が規制されて設けられたフォーカスリングと、
前記フォーカスリングの前記回動範囲内での回動位置を検出する回動位置検出部と、
前記鏡胴本体の外周部に、前記フォーカスリングに隣接して設けられたタッチセンサと、
前記回動位置検出部によって検出された回動位置に対応する絶対位置に前記フォーカスレンズを移動させる絶対位置制御、及び前記タッチセンサの外周面上における周回り方向の摺動量に対応する相対位置に前記フォーカスレンズを移動させる相対位置制御を行う制御手段と、
を備えたレンズ装置。
【請求項２】
光軸方向における前記フォーカスリングと前記タッチセンサとの間に環状の凸部を設けた請求項１に記載のレンズ装置。
【請求項３】
前記制御手段は、前記フォーカスレンズを自動的に被写体に合焦した位置に移動させるオートフォーカス制御機能を有し、前記タッチセンサでタッチが検出されたとき、前記フォーカスレンズのオートフォーカス動作を開始する請求項１または２に記載のレンズ装置。
【請求項４】
前記制御手段は、前記オートフォーカスの終了後、前記タッチセンサで摺動が検出されたとき、前記オートフォーカスで決定される絶対位置を基準にして前記タッチセンサでの摺動量に対応する相対位置に前記フォーカスレンズを移動させる請求項３に記載のレンズ装置。
【請求項５】
前記制御手段は、前記オートフォーカスの実行中に、前記フォーカスリングの回動が検出されたとき、前記オートフォーカスの動作を停止して、前記フォーカスリングの回動位置に対応する絶対位置に前記フォーカスレンズを移動させる請求項３または４に記載のレンズ装置。
【請求項６】
前記制御手段は、前記タッチセンサから指が離れて一定時間が経過するまで、前記タッチセンサで再びタッチを検出してもオートフォーカスの実行を保留する請求項４に記載のレンズ装置。
【請求項７】
前記制御手段は、前記フォーカスリングの回動に応じて前記フォーカスレンズの位置の粗調整を行い、前記タッチセンサでの摺動量に応じて前記フォーカスレンズの位置の微調整を行う請求項１から６のうちいずれか１項に記載のレンズ装置。
【請求項８】
前記制御手段は、前記フォーカスリングの回動と前記タッチセンサでの摺動とが同時に行なわれたとき、前記タッチセンサでの摺動よりも前記フォーカスリングの回動を優先し、前記フォーカスリングによって指示された絶対位置に前記フォーカスレンズを移動させる請求項１から７のうちいずれか１項に記載のレンズ装置。
【請求項９】
前記制御手段は、前記フォーカスリングの回動と前記タッチセンサでの摺動とが同時に行なわれたとき、前記フォーカスリングの回動よりも前記タッチセンサでの摺動を優先し、前記タッチセンサによって指示された相対位置に前記フォーカスレンズを移動させる請求項１から７のうちいずれか１項に記載のレンズ装置。
【請求項１０】
前記制御手段は、前記タッチセンサから指が離れて一定時間が経過するまで、前記フォーカスリングの回動が検出されても前記フォーカスリングの絶対位置への移動を保留する請求項１から９のうちいずれか１項に記載のレンズ装置。
【請求項１１】
前記制御手段は、前記タッチセンサの複数箇所で同時にタッチ及び摺動を検出したとき、その摺動量に応じた相対位置に前記フォーカスレンズを移動させる請求項１から１０のうちいずれか１項に記載のレンズ装置。
【請求項１２】
前記タッチセンサは、前記鏡筒本体の外周部に環状かつエンドレスに設けられている請求項１から１１のうちいずれか１項に記載のレンズ装置。
【請求項１３】
フォーカスレンズを光軸方向に移動可能に保持した鏡胴本体と、前記鏡胴本体の外周部に回動範囲が規制されて設けられたフォーカスリングと、前記フォーカスリングの前記回動範囲内での回動位置を検出する回動位置検出部と、前記鏡胴本体の外周部に、前記フォーカスリングに隣接して設けられたタッチセンサとを用い、
前記回動位置検出部によって検出された回動位置に対応する絶対位置に前記フォーカスレンズを移動させる絶対位置制御、及び前記タッチセンサの外周面上における周回り方向の摺動量に対応した相対位置に前記フォーカスレンズを移動させる相対位置制御を行うフォーカス制御方法。
【請求項１４】
前記タッチセンサでタッチが検出されたとき、前記フォーカスレンズのオートフォーカス動作を開始する請求項１３に記載のフォーカス制御方法。
【請求項１５】
前記フォーカスリングの回動に応じて前記フォーカスレンズの位置の粗調整を行い、前記タッチセンサでの摺動量に応じて前記フォーカスレンズの位置の微調整を行う請求項１３または１４に記載のフォーカス制御方法。
【請求項１６】
前記フォーカスリングの回動と前記タッチセンサでの摺動とが同時に行なわれたとき、前記タッチセンサでの摺動よりも前記フォーカスリングの回動を優先し、前記フォーカスリングによって指示された絶対位置に前記フォーカスレンズを移動させる請求項１３から１５のうちいずれか１項に記載のフォーカス制御方法。
【請求項１７】
前記制御手段は、前記フォーカスリングの回動と前記タッチセンサでの摺動とが同時に行なわれたとき、前記フォーカスリングの回動よりも前記タッチセンサでの摺動を優先し、前記タッチセンサによって指示された相対位置に前記フォーカスレンズを移動させる請求項１４から１６のうちいずれか１項に記載のフォーカス制御方法。
【国際調査報告】
2012132868.tif 000011
2012132868.tif 000012
2012132868.tif 000013
2012132868.tif 000014